(57)【要約】  本発明は、情報フィードバック方法及び装置、コンピュータ記憶媒体を開示する。前記方法は、第１端末が第２端末からのデータを受信し、前記データには第１時間情報が含まれることと、前記第１端末が第１時間情報に基づいて、前記データに対応するフィードバック情報の第１伝送時刻を決定することと、前記第１端末が、前記第１伝送時刻に前記フィードバック情報を前記第２端末に送信することとを含む。第２端末が、第１端末にデータを送信することと、前記第２端末が、候補時間領域リソースセットを決定し、前記候補時間領域リソースセットにおいて、前記第１端末からのフィードバック情報を検出することとを含む。
2021513764.tif 000002
【特許請求の範囲】
【請求項１】
情報フィードバック方法であって、
第１端末が、第２端末からのデータを受信し、前記第１端末が前記データに基づいて第１時間情報を決定することと、
前記第１端末が、第１時間情報に基づいて、前記データに対応するフィードバック情報の第１伝送時刻を決定することと、
前記第１端末が、前記第１伝送時刻に前記フィードバック情報を前記第２端末に送信することとを含む、情報フィードバック方法。
【請求項２】
前記第１時間情報は、前記第２端末がフィードバック情報を受信する最大遅延情報を表すためのものであることを特徴とする
請求項１に記載の方法。
【請求項３】
前記第１端末が、第２伝送時刻に前記第２端末からの前記データを受信し、
前記第１端末が前記第１時間情報に基づいて、前記データに対応するフィードバック情報の第１伝送時刻を決定することは、
前記第１端末が、前記第２伝送時刻及び前記第１時間情報に基づいて、候補時間領域リソースセットを決定することと、
前記第１端末が、前記候補時間領域リソースセットから、前記フィードバック情報を伝送するための前記第１伝送時刻を選択することとを含むことを特徴とする
請求項１から２のうちいずれか一項に記載の方法。
【請求項４】
前記第１時間情報は、物理サイドリンク制御チャネル（ＰＳＣＣＨ）又は物理サイドリンク共有チャネル（ＰＳＳＣＨ）によって搬送されることを特徴とする
請求項１から３のうちいずれか一項に記載の方法。
【請求項５】
前記第１端末が前記データに基づいて前記第１時間情報を決定することは、
前記第１端末が、前記データの第１属性に基づいて前記第１時間情報を決定することを含み、前記第１属性は、前記データの優先度情報、ＱｏＳ情報、遅延情報のうちの少なくとも１つを含むことを特徴とする
請求項１から３のうちいずれか一項に記載の方法。
【請求項６】
前記第１端末が前記データの前記第１属性に基づいて前記第１時間情報を決定することは、
前記第１端末が、前記第１属性及び第１対応関係に基づいて前記第１時間情報を決定し、前記第１対応関係が、前記第１属性に対応する第１時間情報を表すことを含むことを特徴とする
請求項５に記載の方法。
【請求項７】
情報フィードバック方法であって、
第２端末が、第１端末にデータを送信することと、
前記第２端末が、候補時間領域リソースセットを決定し、前記候補時間領域リソースセットにおいて、前記第１端末からのフィードバック情報を検出することとを含む、情報フィードバック方法。
【請求項８】
前記第２端末が、第２伝送時刻に前記第１端末にデータを送信することをさらに含み、
前記第２端末が、候補時間領域リソースセットを決定することは、
前記第２端末が、前記第２伝送時刻及び第１時間情報に基づいて、前記候補時間領域リソースセットを決定することを含むことを特徴とする
請求項７に記載の方法。
【請求項９】
前記第１時間情報は、前記第２端末がフィードバック情報を受信する最大遅延情報を表すためのものであることを特徴とする
請求項８に記載の方法。
【請求項１０】
前記第２端末が候補時間領域リソースセットにおいて前記第１端末からのフィードバック情報を検出することは、
前記第２端末が、第２伝送時刻に前記第１端末にデータを送信した後に、タイマーを起動し、前記タイマーの時間長が前記第１時間情報に基づいて決定されることと、
前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信することと、
前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものであることとを含むことを特徴とする
請求項８から９のうちいずれか一項に記載の方法。
【請求項１１】
前記第２端末が、前記第１端末に送信されるデータ中に前記第１時間情報を含ませることを特徴とする
請求項７から１０のうちいずれか一項に記載の方法。
【請求項１２】
前記第１時間情報は、ＰＳＣＣＨ又はＰＳＳＣＨによって搬送されることを特徴とする
請求項１１に記載の方法。
【請求項１３】
前記第１時間情報が、前記第２端末により前記第２伝送時刻に前記第１端末に送信される前記データの第１属性に基づいて決定されることを特徴とする
請求項７から１２のうちいずれか一項に記載の方法。
【請求項１４】
前記第１属性は、
前記データの優先度情報、ＱｏＳ情報、遅延情報のうちの少なくとも１つを含むことを特徴とする
請求項１３に記載の方法。
【請求項１５】
前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含むことを特徴とする
請求項１３から１４のうちいずれか一項に記載の方法。
【請求項１６】
情報フィードバック装置であって、
第２端末からのデータを受信するように構成される受信ユニットと、
前記データに基づいて第１時間情報を決定し、前記第１時間情報に基づいて、前記データに対応するフィードバック情報の第１伝送時刻を決定するように構成される決定ユニットと、
前記第１伝送時刻に前記フィードバック情報を前記第２端末に送信するように構成される送信ユニットとを備える、情報フィードバック装置。
【請求項１７】
前記第１時間情報は、前記第２端末がフィードバック情報を受信する最大遅延情報を表すためのものであることを特徴とする
請求項１６に記載の装置。
【請求項１８】
前記受信ユニットは、第２伝送時刻に前記第２端末からの前記データを受信し、
前記決定ユニットは、前記第２伝送時刻及び前記第１時間情報に基づいて、候補時間領域リソースセットを決定し、前記候補時間領域リソースセットから、前記フィードバック情報を伝送するための前記第１伝送時刻を選択するように構成されることを特徴とする
請求項１６から１７のうちいずれか一項に記載の装置。
【請求項１９】
前記第１時間情報は、ＰＳＣＣＨ又はＰＳＳＣＨによって搬送されることを特徴とする
請求項１６から１８のうちいずれか一項に記載の装置。
【請求項２０】
前記決定ユニットは、前記データの第１属性に基づいて前記第１時間情報を決定するように構成され、前記第１属性は、前記データの優先度情報、ＱｏＳ情報、遅延情報のうちの少なくとも１つを含むことを特徴とする
請求項１６から１８のうちいずれか一項に記載の装置。
【請求項２１】
前記決定ユニットは、前記第１属性及び第１対応関係に基づいて前記第１時間情報を決定するように構成され、前記第１対応関係が、前記第１属性に対応する第１時間情報を表すことを特徴とする
請求項２０に記載の装置。
【請求項２２】
情報フィードバック装置であって、
第１端末にデータを送信するように構成される送信ユニットと、
候補時間領域リソースセットを決定するように構成される送信ユニットと、
前記候補時間領域リソースセットにおいて、前記第１端末からのフィードバック情報を検出するように構成される検出ユニットとを備える、情報フィードバック装置。
【請求項２３】
前記送信ユニットは、第２伝送時刻に前記第１端末にデータを送信し、
前記決定ユニットは、前記第２伝送時刻及び第１時間情報に基づいて、前記候補時間領域リソースセットを決定するように構成されることを特徴とする
請求項２２に記載の装置。
【請求項２４】
前記第１時間情報は、前記第２端末がフィードバック情報を受信する最大遅延情報を表すためのものであることを特徴とする
請求項２３に記載の装置。
【請求項２５】
前記検出ユニットは、第２伝送時刻に前記第１端末にデータを送信した後、タイマーを起動するように構成され、前記タイマーの時間長が前記第１時間情報に基づいて決定され、前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信し、前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものであることを特徴とする
請求項２３から２４のうちいずれか一項に記載の装置。
【請求項２６】
前記第２端末が、前記第１端末に送信されるデータ中に前記第１時間情報を含ませることを特徴とする
請求項２２から２５のうちいずれか一項に記載の装置。
【請求項２７】
前記第１時間情報は、ＰＳＣＣＨ又はＰＳＳＣＨによって搬送されることを特徴とする
請求項２６に記載の装置。
【請求項２８】
前記第１時間情報が、前記第２端末により前記第２伝送時刻に前記第１端末に送信される前記データの第１属性に基づいて決定されることを特徴とする
請求項２２から２７のうちいずれか一項に記載の装置。
【請求項２９】
前記第１属性は、前記データの優先度情報、ＱｏＳ情報、遅延情報のうちの少なくとも１つを含むことを特徴とする
請求項２８に記載の装置。
【請求項３０】
前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含むことを特徴とする
請求項２８から２９のうちいずれか一項に記載の装置。
【請求項３１】
コンピュータ記憶媒体であって、コンピュータによる実行可能な命令が記憶されており、該コンピュータによる実行可能な命令がプロセッサにより実行される時、請求項１から６のうちいずれか一項に記載の方法のステップ、又は請求項７から１５のうちいずれか一項に記載の方法のステップを実現させる、コンピュータ記憶媒体。
【発明の詳細な説明】
【技術分野】
【０００１】
本発明は、無線通信技術分野に関し、特に、情報フィードバック方法及び装置、コンピュータ記憶媒体に関する。
【背景技術】
【０００２】
車のインターネットシステムは、長期的進化（ＬＴＥ：Ｌｏｎｇ  Ｔｅｒｍ  Ｅｖｏｌｕｔｉｏｎ）−端末間（Ｄ２Ｄ：Ｄｅｖｉｃｅ  ｔｏ  Ｄｅｖｉｃｅ）通信に基づいたサイドリンク（ＳＬ：Ｓｉｄｅｌｉｎｋ）伝送技術を利用する。従来のＬＴＥシステムにおける基地局による通信デー送受信の方式と異なっており、車のインターネットシステムは、端末間で直接通信するという方式を利用するため、より高いスペクトル効率及びより低い伝送遅延を有する。
【０００３】
３ＧＰＰ  Ｒｅｌ−１４において、車のインターネット技術（Ｖ２Ｘ：Ｖｅｈｉｃｌｅ  ｔｏ  Ｅｖｅｒｙｔｈｉｎｇ）が標準化されており、モード３及びモード４という２つの伝送モードが定義される。モード３において、端末の伝送リソースは基地局により割り当てられる。モード４において、端末は、センシング（ｓｅｎｓｉｎｇ）＋リザーブ（ｒｅｓｅｒｖａｔｉｏｎ）の方式で伝送リソースを決定する。
【０００４】
ＮＲ−Ｖ２Ｘにおいて、自動運転をサポートする必要があるため、車両同士間のデータ交換に対して、より高いスループット、より低い遅延、より高い信頼性、より大きいカバレッジ範囲、より柔軟なリソース割り当て等のようなより厳しい要件が求められる。上記要件を満たすために、ＮＲ−Ｖ２Ｘにマルチアンテナ伝送技術を導入する必要がある。マルチアンテナ伝送技術において、送信側が複数の候補ビームから最適なビームをどのように選択するかは、受信側からフィードバックされた最適なビームのインデックス値に基づいて決定されるものである。
【０００５】
また、ＮＲ−Ｖ２Ｘは、ユニキャスト（ｕｎｉｃａｓｔ）、グループキャスト（ｇｒｏｕｐｃａｓｔ）、ブロードキャストチャネル（ｂｒｏａｄｃａｓｔ）のような様々な伝送方式をサポートする必要がある。ユニキャスト伝送を行う時、受信側は、肯定応答（ＡＣＫ）／否定応答（ＮＡＣＫ）等の情報をフィードバックし、送信側は、受信側からのフィードバック情報に基づいて再送の必要があるかどうかを判定する。
【０００６】
一般的には、受信側は、競争の方式でフィードバック情報のリソース（即ち、フィードバック用リソース）を取得する。輻輳のシナリオで、受信側は、適切なフィードバック用リソースを取得するのが困難であり、又は、フィードバック用リソースを取得するのに遅延が大きい。該フィードバック用リソースを利用して送信したフィードバック情報は、送信側の遅延要件を満たすことができない。なお、幾つかのシナリオにおいて、送信側は、フィードバック情報を受信できない可能性があるため、盲目的にフィードバック情報を検出する場合、リソースの浪費を招く。
【発明の概要】
【発明が解決しようとする課題】
【０００７】
上記技術的課題を解決するために、本発明の実施例は、情報フィードバック方法及び装置、コンピュータ記憶媒体を提供する。
【課題を解決するための手段】
【０００８】
本発明の実施例が提供する情報フィードバック方法は、
第１端末が第２端末からのデータを受信し、前記第１端末が前記データに基づいて第１時間情報を決定することと、
前記第１端末が第１時間情報に基づいて、前記データに対応するフィードバック情報の第１伝送時刻を決定することと、
前記第１端末が、前記第１伝送時刻に前記フィードバック情報を前記第２端末に送信することとを含む。
【０００９】
本発明の実施例において、前記第１時間情報は、前記第２端末がフィードバック情報を受信する最大遅延情報を表すためのものである。
【００１０】
本発明の実施例において、前記第１端末が、第２伝送時刻に前記第２端末からの前記データを受信し、
前記第１端末が前記第１時間情報に基づいて、前記データに対応するフィードバック情報の第１伝送時刻を決定することは、
前記第１端末が、前記第２伝送時刻及び前記第１時間情報に基づいて、候補時間領域リソースセットを決定することと、
前記第１端末が、前記候補時間領域リソースセットから、前記フィードバック情報を伝送するための前記第１伝送時刻を選択することとを含む。
【００１１】
本発明の実施例において、前記第１時間情報は、物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）又は物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）によって搬送される。
【００１２】
本発明の実施例において、前記第１端末が前記データに基づいて前記第１時間情報を決定することは、
前記第１端末が、前記データの第１属性に基づいて前記第１時間情報を決定することを含み、前記第１属性は、前記データの優先度情報、ＱｏＳ情報、遅延情報のうちの少なくとも１つを含む。
【００１３】
本発明の実施例において、前記第１端末が前記データの前記第１属性に基づいて前記第１時間情報を決定することは、
前記第１端末が、前記第１属性及び第１対応関係に基づいて前記第１時間情報を決定し、前記第１対応関係が、前記第１属性に対応する第１時間情報を表すことを含む。
【００１４】
本発明の実施例が提供する情報フィードバック方法は、
第２端末が、第１端末にデータを送信することと、
前記第２端末が、候補時間領域リソースセットを決定し、前記候補時間領域リソースセットにおいて、前記第１端末からのフィードバック情報を検出することとを含む。
【００１５】
本発明の実施例において、前記第２端末が、第２伝送時刻に前記第１端末にデータを送信し、
前記第２端末が、候補時間領域リソースセットを決定することは、
前記第２端末が、前記第２伝送時刻及び第１時間情報に基づいて、前記候補時間領域リソースセットを決定することを含む。
【００１６】
本発明の実施例において、前記第１時間情報は、前記第２端末がフィードバック情報を受信する最大遅延情報を表すためのものである。
【００１７】
本発明の実施例において、前記第２端末が候補時間領域リソースセットにおいて前記第１端末からのフィードバック情報を検出することは、
前記第２端末が、第２伝送時刻に前記第１端末にデータを送信した後に、タイマーを起動し、前記タイマーの時間長が前記第１時間情報に基づいて決定されることと、
前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信することと、
前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものであることとを含む。
【００１８】
本発明の実施例において、前記第２端末が、前記第１端末に送信されるデータ中に前記第１時間情報を含ませる。
【００１９】
本発明の実施例において、前記第１時間情報は、ＰＳＣＣＨ又はＰＳＳＣＨによって搬送される。
【００２０】
本発明の実施例において、前記第１時間情報が、前記第２端末により前記第２伝送時刻に前記第１端末に送信される前記データの第１属性に基づいて決定される。
【００２１】
本発明の実施例において、前記第１属性は、
前記データの優先度情報、ＱｏＳ情報、遅延情報のうちの少なくとも１つを含む。
【００２２】
本発明の実施例において、前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含む。
【００２３】
本発明の実施例が提供する情報フィードバック装置は、
第２端末からのデータを受信するように構成される受信ユニットと、
前記データに基づいて第１時間情報を決定し、前記第１時間情報に基づいて、前記データに対応するフィードバック情報の第１伝送時刻を決定するように構成される決定ユニットと、
前記第１伝送時刻に前記フィードバック情報を前記第２端末に送信するように構成される送信ユニットとを備える。
【００２４】
本発明の実施例において、前記第１時間情報は、前記第２端末がフィードバック情報を受信する最大遅延情報を表すためのものである。
【００２５】
本発明の実施例において、前記受信ユニットは、第２伝送時刻に前記第２端末からの前記データを受信し、
前記決定ユニットは、前記第２伝送時刻及び前記第１時間情報に基づいて、候補時間領域リソースセットを決定し、前記候補時間領域リソースセットから、前記フィードバック情報を伝送するための前記第１伝送時刻を選択するように構成される。
【００２６】
本発明の実施例において、前記第１時間情報は、ＰＳＣＣＨ又はＰＳＳＣＨによって搬送される。
【００２７】
本発明の実施例において、前記決定ユニットは、前記データの第１属性に基づいて前記第１時間情報を決定するように構成され、前記第１属性は、
前記データの優先度情報、ＱｏＳ情報、遅延情報のうちの少なくとも１つを含む。
【００２８】
本発明の実施例において、前記決定ユニットは、前記第１属性及び第１対応関係に基づいて前記第１時間情報を決定するように構成され、前記第１対応関係が、前記第１属性に対応する第１時間情報を表す。
【００２９】
本発明の実施例が提供する情報フィードバック装置は、
第１端末にデータを送信するように構成される送信ユニットと、
候補時間領域リソースセットを決定するように構成される送信ユニットと、
前記候補時間領域リソースセットにおいて、前記第１端末からのフィードバック情報を検出するように構成される検出ユニットとを備える。
【００３０】
本発明の実施例において、前記送信ユニットは、第２伝送時刻に前記第１端末にデータを送信し、
前記決定ユニットは、前記第２伝送時刻及び第１時間情報に基づいて、前記候補時間領域リソースセットを決定するように構成される。
【００３１】
本発明の実施例において、前記第１時間情報は、前記第２端末がフィードバック情報を受信する最大遅延情報を表すためのものである。
【００３２】
本発明の実施例において、前記検出ユニットは、第２伝送時刻に前記第１端末にデータを送信した後、タイマーを起動するように構成され、前記タイマーの時間長が前記第１時間情報に基づいて決定され、前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信し、前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものである。
【００３３】
本発明の実施例において、前記第２端末が、前記第１端末に送信されるデータ中に前記第１時間情報を含ませる。
【００３４】
本発明の実施例において、前記第１時間情報は、ＰＳＣＣＨ又はＰＳＳＣＨによって搬送される。
【００３５】
本発明の実施例において、前記第１時間情報が、前記第２端末により前記第２伝送時刻に前記第１端末に送信される前記データの第１属性に基づいて決定される。
【００３６】
本発明の実施例において、前記第１属性は、
前記データの優先度情報、ＱｏＳ情報、遅延情報のうちの少なくとも１つを含む。
【００３７】
本発明の実施例において、前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含む。
【００３８】
本発明の実施例が提供するコンピュータ記憶媒体に、コンピュータによる実行可能な命令が記憶されており、該コンピュータによる実行可能な命令がプロセッサにより実行される時、上記情報フィードバック方法を実現させる。
【発明の効果】
【００３９】
本発明の実施例の考案において、第１端末は第２端末からのデータを受信し、前記第１端末は前記データに基づいて第１時間情報を決定し、前記第１端末は前記第１時間情報に基づいて、前記データに対応するフィードバック情報の第１伝送時刻を決定し、前記第１端末は、前記第１伝送時刻に前記フィードバック情報を前記第２端末に送信する。第２端末は、第１端末にデータを送信し、前記第２端末は、候補時間領域リソースセットを決定し、前記候補時間領域リソースセットにおいて、前記第１端末からのフィードバック情報を検出する。本発明の実施例の考案を利用して、送信されるデータ中にフィードバック情報の遅延情報を含ませることによって、受信側は、所定の時間内にフィードバック情報を伝送することができるようになる。また、送信側がデータを送信してからの所定の期間内にフィードバック情報の有無を検出し、検出失敗に起因する送信側の絶えないフィードバック情報検出を避ける。
【図面の簡単な説明】
【００４０】
【図１】車のインターネットにおけるモード３のシナリオを示す概略図である。
【図２】車のインターネットにおけるモード４のシナリオを示す概略図である。
【図３】本発明の実施例による情報フィードバック方法を示す第１フローチャートである。
【図４】本発明の実施例による情報フィードバック方法を示す第２フローチャートである。
【図５】本発明の実施例による情報フィードバック装置の構成を示す第１概略図である。
【図６】本発明の実施例による情報フィードバック装置の構成を示す第２概略図である。
【図７】本発明の実施例によるコンピュータ装置の構成を示す概略図である。
【発明を実施するための形態】
【００４１】
ここで説明した添付図面は、本発明の一層の理解のために含めたものであり、本明細書に導入されてその一部となる。本発明の概略的な実施例及びその説明は、本発明の解説に用いるものであるが、本発明を不当に限定するものではない。
【００４２】
本発明の実施例の特徴及び技術的要旨をより詳しく理解するために、以下、図面を参照しながら本発明の実施例を詳細に説明する。添付図面は、参照のためのものに過ぎず、本発明の実施例を限定するものではない。
【００４３】
本発明の実施例の考案を理解しやすくするために、以下、車のインターネットにおけるモード３及びモード４を説明する。
【００４４】
モード３：図１に示すように、車載端末の伝送リソースは、基地局（例えばＬＴＥにおける進化型基地局（ｅＮＢ：ｅｖｏｌｖｅｄ  ＮｏｄｅＢ）により割り当てられる。具体的には、基地局は、ダウンリンク（ＤＬ：Ｄｏｗｎ  Ｌｉｎｋ）により、グラント（Ｇｒａｎｔ）リソースを指示するための制御メッセージを車載端末に送信する。続いて、車載端末は、基地局により割り当てられたリソースに基づいてＳＬにおいてデータ送信を行う。モード３において、基地局は、端末に毎回用の送信リソースを割り当てることができるだけでなく、端末に半静的伝送リソースを割り当てることもできる。
【００４５】
モード４：図２に示すように、車載端末は、センシング＋リザーブの伝送方式を利用する。車載装置は、センシング方式で利用可能な伝送リソースセットをリソースプールから取得する。車載装置は、該伝送リソースセットから、１つのリソースをランダムに選択してデータ伝送を行う。車のインターネットシステムにおけるトラフィックが周期的特性を有するため、車載端末は、一般的には半静的伝送方式を利用する。即ち、車載装置は、１つの伝送リソースを選択した後に、複数の伝送周期において該リソースを使用し続け、それによって、リソース再選択及びリソース競争の確率を低減させる。車載端末は、今回伝送される制御情報で次回の伝送リソースのリザーブ情報を搬送し、それによって、他の端末が該車載端末の制御情報を検出し、該リソースが車載端末によりリザーブ又は利用されていることを判定でき、リソース競争低減の目的を達成する。
【００４６】
なお、ＬＴＥ−Ｖ２Ｘにおいて、モード３は、車載端末の伝送リソースが基地局より割り当てられることを表し、モード４は、車載端末の伝送リソースが端末により自ら選択されることを表し、ＮＲ−Ｖ２Ｘにおいて、新たな伝送モードを定義することができ、本発明はこれを限定するものではない。
【００４７】
ＮＲ−Ｖ２Ｘにおいてマルチアンテナ伝送技術を導入する必要があり、マルチアンテナを利用すると、以下のメリットを実現できる。
【００４８】
１）より高い伝送レートを得ることができ、マルチアンテナの多重伝送方式を利用して、同一の時間領域リソース上で複数のデータストリームを伝送することができるため、伝送レートを向上させる。
【００４９】
２）より大きいカバレッジ及びより高い信頼性を得ることができ、ビームフォーミング（Ｂｅａｍｆｏｒｍｉｎｇ）技術を利用して、エネルギーを狭いビーム内に集中させることができ、受信側の信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）を向上させるため、受信側の受信成功率や伝送距離を向上させることができる。
【００５０】
ここで、Ｂｅａｍｆｏｒｍｉｎｇによれば、カバレッジ及び信頼性を向上させることができる。送信側は、下記プロセスにより、複数の候補ビームから最適なビームを選択する。即ち、送信側は、ビームスキャンを行い、異なるビームを利用して伝送を行う。受信側は、各ビームにより伝送されるデータを受信し、伝送品質が最も高いビームを最適なビームとして選択し、該ビームのインデックス値を送信側にフィードバックする。後続のデータ伝送において、送信側は、該最適なビームを利用してデータ伝送を行うことができる。
【００５１】
上記考案において、受信側は、ビームのインデックス値を送信側にフィードバックする必要がある。また、受信側は、ＡＣＫ／ＮＡＣＫ等のような他のタイプの情報を送信側にフィードバックする必要もある。送信側は、異なるフィードバック情報により、異なる伝送ポリシーを作成することができる。
【００５２】
しかしながら、ＮＲ−Ｖ２Ｘにおける情報フィードバックには、主に以下の問題点が存在する。
【００５３】
１）情報フィードバックの時間的制限：受信側のフィードバック情報を送信するためのリソースは、競争の方式で取得される。輻輳のシナリオで、受信側は、適切なフィードバック用リソースを取得するのが困難であり、又は、フィードバック用リソースを取得するのに遅延が大きい。該フィードバック用リソースを利用して送信したフィードバック情報は、送信側の遅延要件を満たすことができない。
【００５４】
２）送信側はフィードバック情報を受信することができない。これは下記の２つの原因がある。
【００５５】
２．１）受信側は、送信側の制御情報が正しく受信できていない。そのため、データを受信することができず、受信側は、情報のフィードバックを行っていない。
【００５６】
２．２）受信側は、制御情報を正しく受信し、データを検出してフィードバック情報を送信したが、送信側は、フィードバック情報を正しく検出することができない。
【００５７】
この場合、送信側は、受信側からのフィードバック情報の検出を如何に停止するかを把握することができない。
【００５８】
図３は、本発明の実施例による情報フィードバック方法を示す第１フローチャートである。図３に示すように、前記情報フィードバック方法は下記ステップを含む。
【００５９】
ステップ３０１において、第１端末が第２端末からのデータを受信し、前記第１端末が前記データに基づいて第１時間情報を決定する。
【００６０】
本発明の実施例において、第１端末及び第２端末のタイプは限定されず、車載端末、携帯電話、ノートパソコン等のデバイスであってもよい。
【００６１】
本発明の実施例において、前記第１時間情報は、前記第２端末がフィードバック情報を受信する最大遅延情報を表すためのものである。
【００６２】
本発明の実施例において、第１時間情報は、明示的な方式で示してもよい。具体的には、前記第１情報は、ＰＳＣＣＨ又はＰＳＳＣＨによって搬送され、ＰＳＣＣＨ又はＰＳＳＣＨにおける幾つかのビットにより明示的に示される。
【００６３】
本発明の実施例において、第１時間情報は、暗黙的な方式で示してもよい。具体的には、前記第１端末は、前記データの第１属性に基づいて、前記第１時間情報を決定し、前記第１属性は、前記データの優先度情報、ＱｏＳ情報、遅延情報のうちの少なくとも１つを含む。ここで、前記第１端末は、前記第１属性及び第１対応関係に基づいて前記第１時間情報を決定し、前記第１対応関係が、前記第１属性に対応する第１時間情報を表す。
【００６４】
具体的に実現する場合、データの異なる属性は、異なる時間情報に対応する。対応関係テーブルを作成することができる。該対応関係テーブルには、複数の対応関係が含まれ、各対応関係は、１つの属性と時間情報との対応関係を表す。第１端末は、第２端末からのデータを受信した後に、該対応関係テーブルから、受信したデータの第１属性に対応する第１時間情報をサーチする。
【００６５】
ステップ３０２において、前記第１端末が、前記第１時間情報に基づいて、前記データに対応するフィードバック情報の第１伝送時刻を決定する。
【００６６】
前記第１端末が、第２伝送時刻に前記第２端末からの前記データを受信すると仮設し、対応的に、
前記第１端末が、前記第２伝送時刻及び前記第１時間情報に基づいて、候補時間領域リソースセットを決定し、
前記第１端末が、前記候補時間領域リソースセットから、前記フィードバック情報を伝送するための前記第１伝送時刻を選択する。
【００６７】
例えば、第２端末からのデータ中に含まれる時間情報が２０ｍｓ（最大遅延）であり、第２端末は、時刻ｎ（第２伝送時刻）にデータを送信し、第１端末は、時刻ｎにデータを受信し、データの中に含まれる時間情報を知るようになり、第１端末は、［ｎ＋１，ｎ＋２０ｍｓ］（候補時間領域リソースセット）からリソース（第１伝送時刻）を選択してフィードバック情報を伝送する。
【００６８】
ステップ３０３において、前記第１端末が、前記第１伝送時刻に前記フィードバック情報を前記第２端末に送信する。
【００６９】
本発明の実施例の考案において、第２端末は、第１伝送時刻にフィードバック情報が受信され、第２端末の遅延要件を満たすことができる。
【００７０】
図４は本発明の実施例による情報フィードバック方法を示す第２フローチャートである。図４に示すように、前記情報フィードバック方法は、下記ステップを含む。
【００７１】
ステップ４０１において、第２端末が、第１端末にデータを送信する。
【００７２】
本発明の実施例において、第１端末及び第２端末のタイプは限定されず、車載端末、携帯電話、ノートパソコン等のデバイスであってもよい。
【００７３】
ステップ４０２において、前記第２端末が、候補時間領域リソースセットを決定し、前記候補時間領域リソースセットにおいて、前記第１端末からのフィードバック情報を検出する。
【００７４】
本発明の実施例において、前記第２端末が、第２伝送時刻に前記第１端末にデータを送信するとした場合、前記第２端末が、前記第２伝送時刻及び第１時間情報に基づいて、前記候補時間領域リソースセットを決定する。
【００７５】
ここで、前記第１時間情報は、前記第２端末がフィードバック情報を受信する最大遅延情報を表すためのものである。
【００７６】
一実施形態において、前記第２端末が、前記第１端末に送信されるデータ中に前記第１時間情報を含ませる。更に、前記第１時間情報は、ＰＳＣＣＨ又はＰＳＳＣＨによって搬送される。理解すべきこととして、前記第２端末は、前記第１端末に送信されるデータ中に前記第１時間情報を含ませなくてもよい。
【００７７】
本発明の実施例において、前記第２端末は、第２伝送時刻に前記第１端末にデータを送信した後、タイマーを起動し、前記タイマーの時間長が前記第１時間情報に基づいて決定される。
【００７８】
前記第２端末は、各時間ユニットにおいて、前記第１端末からの前記フィードバック情報を検出し、各々の時間ユニットの検出を実施する度に、前記タイマーから１を引く。
【００７９】
前記第２端末が、前記タイマーがタイムアウトになる前の第１伝送時刻に前記第１端末からのフィードバック情報が検出できているとした場合、前記第２端末は、フィードバック情報の検出を停止し、前記フィードバック情報を上位層エンティティに送信する。
【００８０】
前記第２端末が、前記タイマーがタイムアウトになっても、前記第１端末からのフィードバック情報が検出できていない場合、前記第２端末は、フィードバック情報の検出を停止し、上位層エンティティに指示情報を送信し、前記指示情報は、前記第２端末が前記候補時間領域リソースセットにおいて、前記フィードバック情報が検出できていないことを示すためのものである。
【００８１】
例えば、第２端末は、時刻ｎにデータを送信した後、［ｎ＋１，ｎ＋Ｔ］の時間範囲でフィードバック情報を検出する。ここで、前記Ｔは、第２端末が、望んでいるフィードバック情報受信の最大遅延情報である。第２端末はデータを送信した後、タイマーＴ１を起動し、Ｔ１を、望んでいるフィードバック情報受信の最大遅延情報Ｔと設定する。例えば、Ｔ１＝Ｔ＝２０ｍｓである。第２端末は、その後の各サブフレームにおいてフィードバック情報を検出し、タイマーから１を引く。フィードバック情報が検出できているとした場合、前記第２端末は、フィードバック情報の検出を停止し、上位層エンティティにフィードバック情報を送信する。タイマーが０まで引いた場合、フィードバック情報が検出できていない場合、前記第２端末は、フィードバック情報の検出を停止し、上位層エンティティに指示情報を送信し、前記指示情報は、前記第２端末で前記フィードバック情報が検出できていないこと、又はフィードバック情報の検出がタイムアウトしたことを示すためのものである。
【００８２】
一実施例において、前記第１時間情報は、前記第２端末により前記第２伝送時刻に前記第１端末に送信される前記データの第１属性に基づいて決定される。ここで、前記第１属性は、前記データの優先度情報、ＱｏＳ情報、遅延情報のうちの少なくとも１つを含む。更に、前記第１時間情報は前記第１属性及び第１対応関係に基づいて決定され、前記第１対応関係が、前記第１属性に対応する第１時間情報を表す。
【００８３】
図５は、本発明の実施例による情報フィードバック装置の構成を示す第１概略図である。図５に示すように、前記情報フィードバック装置は、
第２端末からのデータを受信するように構成される受信５０１ユニットと、
前記データに基づいて第１時間情報を決定し、前記第１時間情報に基づいて、前記データに対応するフィードバック情報の第１伝送時刻を決定するように構成される決定ユニット５０２と、
前記第１伝送時刻に前記フィードバック情報を前記第２端末に送信するように構成される送信ユニット５０３とを備える。
【００８４】
一実施形態において、前記第１時間情報は、前記第２端末がフィードバック情報を受信する最大遅延情報を表すためのものである。
【００８５】
一実施形態において、前記受信ユニットは、第２伝送時刻に前記第２端末からの前記データを受信し、
前記決定ユニット５０２は、前記第２伝送時刻及び前記第１時間情報に基づいて、候補時間領域リソースセットを決定し、前記候補時間領域リソースセットから、前記フィードバック情報を伝送するための前記第１伝送時刻を選択するように構成される。
【００８６】
一実施形態において、前記第１時間情報は、ＰＳＣＣＨ又はＰＳＳＣＨによって搬送される。
【００８７】
一実施形態において、前記決定ユニット５０２は、前記データの第１属性に基づいて前記第１時間情報を決定するように構成され、前記第１属性は、
前記データの優先度情報、ＱｏＳ情報、遅延情報のうちの少なくとも１つを含む。
【００８８】
一実施形態において、前記決定ユニット５０２は、前記第１属性及び第１対応関係に基づいて前記第１時間情報を決定するように構成され、前記第１対応関係が、前記第１属性に対応する第１時間情報を表す。
【００８９】
図５に示した情報フィードバック装置における各ユニットの機能は、上述した情報フィードバック方法に関する説明を参照しながら理解することができ、図５に示した情報フィードバック装置における各ユニットの機能は、プロセッサ上で実行されるプログラムにより実現してもよいし、具体的な論理回路により実現してもよいことは、当業者であれば理解すべきである。
【００９０】
図６は本発明の実施例による情報フィードバック装置の構成を示す第２概略図である。図６に示すように、前記情報フィードバック装置は、
第１端末にデータを送信するように構成される送信ユニット６０１と、
候補時間領域リソースセットを決定するように構成される送信ユニット６０２と、
前記候補時間領域リソースセットにおいて、前記第１端末からのフィードバック情報を検出するように構成される検出ユニット６０３とを備える。
【００９１】
一実施形態において、前記送信ユニット６０１は、第２伝送時刻に前記第１端末にデータを送信し、
前記決定ユニット６０２は、前記第２伝送時刻及び第１時間情報に基づいて、前記候補時間領域リソースセットを決定するように構成される。
【００９２】
ここで、前記第１時間情報は、前記第２端末がフィードバック情報を受信する最大遅延情報を表すためのものである。
【００９３】
一実施形態において、前記検出ユニット６０３は、第２伝送時刻に前記第１端末にデータを送信した後、タイマーを起動するように構成され、前記タイマーの時間長が前記第１時間情報に基づいて決定され、前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信し、前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものである。
【００９４】
一実施形態において、前記第２端末が、前記第１端末に送信されるデータ中に前記第１時間情報を含ませる。
【００９５】
一実施形態において、前記第１時間情報は、ＰＳＣＣＨ又はＰＳＳＣＨによって搬送される。
【００９６】
一実施形態において、前記第１時間情報が、前記第２端末により前記第２伝送時刻に前記第１端末に送信される前記データの第１属性に基づいて決定される。
【００９７】
一実施形態において、前記第１属性は、
前記データの優先度情報、ＱｏＳ情報、遅延情報のうちの少なくとも１つを含む。
【００９８】
一実施形態において、前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含む。
【００９９】
図６に示した情報フィードバック装置における各ユニットの機能は、上述した情報フィードバック方法に関する説明を参照しながら理解することができ、図６に示した情報フィードバック装置における各ユニットの機能は、プロセッサ上で実行されるプログラムにより実現してもよいし、具体的な論理回路により実現してもよいことは、当業者であれば理解すべきである。
【０１００】
本発明の実施例の上記考案は、車のインターネットシステムに適用するだけでなく、他の終端間通信システムに適用する。本発明の実施例における前記端末は、車載端末、ポータブル端末、パーソナルデジタルアシスタント（ＰＤＡ：Ｐｅｒｓｏｎａｌ  Ｄｉｇｉｔａｌ  Ａｓｓｉｓｔａｎｔ）、ウェアラブル端末等であってもよい。
【０１０１】
本発明の実施例の上記情報フィードバック装置は、ソフトウェア機能ユニットの形で実現され、かつ独立した製品として販売または使用されるとき、コンピュータにより読み取り可能な記憶媒体内に記憶されてもよい。このような理解のもと、本発明の考案は、本質的に、又は、従来技術に対して貢献をもたらした部分又は該考案の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０１０２】
なお、本発明の実施例は、コンピュータによる実行可能な命令が記憶されているコンピュータ記憶媒体を更に提供し、該コンピュータによる実行可能な命令がプロセッサにより実行される時、上記情報フィードバック方法を実現させる。
【０１０３】
図７は、本発明の実施例によるコンピュータ装置の構成を示す概略図である。本発明の実施例のコンピュータ装置は、任意のタイプの端末であってもよい。図７に示すように、コンピュータ装置１００は、１つ又は複数の（図面には１つのみが示される）プロセッサ１００２（プロセッサ１００２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これに限定されない）、データを記憶するためのメモリ１００４、及び通信のための伝送装置１００６を備えてもよい。図７に示した構成は模式的なものに過ぎず、上記電子装置の構成を限定するものではないことは、当業者であれば、理解すべきである。例えば、コンピュータ装置１００は、図７に示したものより多くユニット又は少ないユニットを備えてもよいし、図７に示したものと異なる構成を備えてもよい。
【０１０４】
メモリ１００４は、本発明の実施例における情報フィードバック方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能の適用及びデータ処理を実行し、つまり上記方法を実現させる。メモリ１００４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークは、インターネット、イントラネット、ローカルエリアネットワーク、移動体通信ネットワーク及びこれらの組み合わせを含むが、これらに限定されない。
【０１０５】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【０１０６】
本発明の実施例に記載の考案は、矛盾しない限り、任意に組み合わせすることができる。
【０１０７】
本発明で提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１０８】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１０９】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニット、ハードウェアの形で実現してもよいし、ハードウェアとソフトウェアユニットの組み合わせという形で実現してもよい。
【０１１０】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021513764.tif 000003
【図２】
2021513764.tif 000004
【図３】
2021513764.tif 000005
【図４】
2021513764.tif 000006
【図５】
2021513764.tif 000007
【図６】
2021513764.tif 000008
【図７】
2021513764.tif 000009
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
情報フィードバック方法であって、
第１端末が、第２端末からのデータを受信し、前記第１端末が前記データに基づいて第１時間情報を決定することと、
前記第１端末が、第１時間情報に基づいて、フィードバック情報の第１伝送時刻を決定することと、
前記第１端末が、前記第１伝送時刻に前記フィードバック情報を前記第２端末に送信することとを含み
前記第１時間情報は、前記第２端末がフィードバック情報を受信する最大遅延情報を表すためのものであることを特徴とする
情報フィードバック方法。
【請求項２】
前記第１端末が、第２伝送時刻に前記第２端末からの前記データを受信し、
前記第１端末が前記第１時間情報に基づいて、フィードバック情報の第１伝送時刻を決定することは、
前記第１端末が、前記第２伝送時刻及び前記第１時間情報に基づいて、候補時間領域リソースセットを決定することと、
前記第１端末が、前記候補時間領域リソースセットから、前記フィードバック情報を伝送するための前記第１伝送時刻を選択することとを含むことを特徴とする
請求項１に記載の方法。
【請求項３】
前記第１時間情報は、物理サイドリンク制御チャネル（ＰＳＣＣＨ）又は物理サイドリンク共有チャネル（ＰＳＳＣＨ）によって搬送されることを特徴とする
請求項１又は２に記載の方法。
【請求項４】
前記第１端末が前記データに基づいて前記第１時間情報を決定することは、
前記第１端末が、前記データの第１属性に基づいて前記第１時間情報を決定することを含み、前記第１属性は、前記データの優先度情報、ＱｏＳ情報、遅延情報のうちの少なくとも１つを含むことを特徴とする
請求項１又は２に記載の方法。
【請求項５】
前記第１端末が前記データの前記第１属性に基づいて前記第１時間情報を決定することは、
前記第１端末が、前記第１属性及び第１対応関係に基づいて前記第１時間情報を決定し、前記第１対応関係が、前記第１属性に対応する第１時間情報を表すことを含むことを特徴とする
請求項４に記載の方法。
【請求項６】
情報フィードバック方法であって、
第２端末が、第１端末にデータを送信することと、
前記第２端末が、候補時間領域リソースセットを決定し、前記候補時間領域リソースセットにおいて、前記第１端末からのフィードバック情報を検出することとを含む、情報フィードバック方法。
【請求項７】
前記第２端末が、第２伝送時刻に前記第１端末にデータを送信することをさらに含み、
前記第２端末が、候補時間領域リソースセットを決定することは、
前記第２端末が、前記第２伝送時刻及び第１時間情報に基づいて、前記候補時間領域リソースセットを決定することを含み、
前記第１時間情報は、前記第２端末がフィードバック情報を受信する最大遅延情報を表すためのものであることを特徴とする
請求項６に記載の方法。
【請求項８】
前記第２端末が候補時間領域リソースセットにおいて前記第１端末からのフィードバック情報を検出することは、
前記第２端末が、第２伝送時刻に前記第１端末にデータを送信した後に、タイマーを起動し、前記タイマーの時間長が前記第１時間情報に基づいて決定されることと、
前記第２端末が、前記タイマーがタイムアウトになる前の第１伝送時刻に前記第１端末からのフィードバック情報が検出できているとした場合、前記第２端末が、フィードバック情報の検出を停止し、前記フィードバック情報を上位層エンティティに送信することと、
前記第２端末が、前記タイマーがタイムアウトになっても、前記第１端末からのフィードバック情報が検出できていない場合、前記第２端末が、フィードバック情報の検出を停止し、上位層エンティティに指示情報を送信し、前記指示情報は、前記第２端末が前記候補時間領域リソースセットにおいて、前記フィードバック情報が検出できていないことを示すためのものであることとを含むことを特徴とする
請求項７に記載の方法。
【請求項９】
前記第２端末が、前記第１端末に送信されるデータ中に前記第１時間情報を含ませ、
前記第１時間情報が、前記第２端末により前記第２伝送時刻に前記第１端末に送信される前記データの第１属性に基づいて決定され、
前記第１時間情報が、前記第２端末により前記第２伝送時刻に前記第１端末に送信される前記データの第１属性に基づいて決定されることは、
前記第１時間情報が、前記第１属性及び第１対応関係に基づいて決定され、前記第１対応関係が、前記第１属性に対応する第１時間情報を表すことを含むことを特徴とする
請求項６から８のうちいずれか一項に記載の方法。
【請求項１０】
情報フィードバック装置であって、
第２端末からのデータを受信するように構成される受信ユニットと、
前記データに基づいて第１時間情報を決定し、前記第１時間情報に基づいて、フィードバック情報の第１伝送時刻を決定するように構成される決定ユニットと、
前記第１伝送時刻に前記フィードバック情報を前記第２端末に送信するように構成される送信ユニットとを備え、
前記第１時間情報は、前記第２端末がフィードバック情報を受信する最大遅延情報を表すためのものであることを特徴とする
情報フィードバック装置。
【請求項１１】
前記受信ユニットは、第２伝送時刻に前記第２端末からの前記データを受信し、
前記決定ユニットは、前記第２伝送時刻及び前記第１時間情報に基づいて、候補時間領域リソースセットを決定し、前記候補時間領域リソースセットから、前記フィードバック情報を伝送するための前記第１伝送時刻を選択するように構成されることを特徴とする
請求項１０に記載の装置。
【請求項１２】
前記第１時間情報は、ＰＳＣＣＨ又はＰＳＳＣＨによって搬送されることを特徴とする
請求項１０又は１１に記載の装置。
【請求項１３】
前記決定ユニットは、前記データの第１属性に基づいて前記第１時間情報を決定するように構成され、前記第１属性は、前記データの優先度情報、ＱｏＳ情報、遅延情報のうちの少なくとも１つを含むことを特徴とする
請求項１０又は１１に記載の装置。
【請求項１４】
前記決定ユニットは、前記第１属性及び第１対応関係に基づいて前記第１時間情報を決定するように構成され、前記第１対応関係が、前記第１属性に対応する第１時間情報を表すことを特徴とする
請求項１３に記載の装置。
【請求項１５】
コンピュータ記憶媒体であって、コンピュータによる実行可能な命令が記憶されており、該コンピュータによる実行可能な命令がプロセッサにより実行される時、請求項１から５のうちいずれか一項に記載の方法のステップ、又は請求項６から９のうちいずれか一項に記載の方法のステップを実現させる、コンピュータ記憶媒体。
【国際調査報告】
2021513764.tif 000010
2021513764.tif 000011
2021513764.tif 000012
2021513764.tif 000013